(57)【要約】【課題】管体内の反射光線の増大、管体よりの照明光線の発射範囲を増大。【解決手段】直管型蛍光灯に代えてＬＥＤ照明が可能であり、内壁で管体内部をＬＥＤ発光照明室と電源室とに二分したＬＥＤ蛍光照明装置であって、透光性合成樹脂等の第１管体部と、金属製製品であって横断面視円弧形状の金属製の第２管体部とで、管体を構成し、管体内に、水平面と一対の傾斜面とを有する内壁を、前記水平面を管体中心より第２管体部側に位置させ、前記内壁の水平面の上面にＬＥＤ発光装置および蛍光体を装備し、水平面の下面に電源回路を装備し、傾斜面に導光拡散体を装備して、内壁のほぼ全面より蛍光光線を第１管体部に向け発射し第１管体部よりの反射光線によりＬＥＤ発光照明室で乱反射させて照射範囲を取付面側へ拡大したことを特徴とする。【選択図】図１
2010272496.tif 000002
【特許請求の範囲】
【請求項１】
直管型蛍光灯に代えてＬＥＤ照明が可能であり、内壁で管体内部をＬＥＤ発光照明室と電源室とに二分したＬＥＤ蛍光照明装置において、
ＬＥＤ発光照明室において、水平面と一対の傾斜面とを有する内壁で、管体内面で反射した発射光線を再反射させ、ＬＥＤ光線の二次光線としての蛍光光線を乱反射させたのち、管体外へ照射することを特徴とするＬＥＤ蛍光照明装置の蛍光光線照射方法。
【請求項２】
直管型蛍光灯に代えてＬＥＤ照明が可能であり、内壁で管体内部をＬＥＤ発光照明室と電源室とに二分したＬＥＤ蛍光照明装置であって、透光性合成樹脂、ガラス系製品等であって、管体横断面視底面側を切除した管体である透光性合成樹脂等の第１管体部と、
金属製製品であって、前記透光性合成樹脂等の第１管体部の切除部分に対応する横断面視円弧形状の金属製の第２管体部とで、
管体を構成し、
管体内に、
水平面と一対の傾斜面とを有する内壁を、前記水平面をその両端を金属製の第２管体部の端縁に連接して、内壁と金属製の第２管体部とを熱伝導的に連続させ、
前記内壁の水平面の上面にＬＥＤ発光装置および蛍光体を装備し、水平面の下面に電源回路を装備し、傾斜面に導光拡散体を装備して、
内壁のほぼ全面より蛍光光線を第１管体部に向け発射し第１管体部よりの反射光線によりＬＥＤ発光照明室で乱反射させて照射範囲を取付面側へ拡大したことを特徴とするＬＥＤ蛍光照明装置。
【請求項３】
前記導光拡散体は、反射遮熱層、光誘導層および光拡散層を含む多層構造としたことを特徴とする請求項２に記載するＬＥＤ蛍光照明装置。
【請求項４】
金属製の第２管体部の範囲を横断面視１４０度ないし９０度としたことを特徴とする請求項２、３に記載するＬＥＤ蛍光照明装置。
【発明の詳細な説明】
【技術分野】
【０００１】  本願発明は、屋内照明装置のエコ対策として蛍光灯照明をＬＥＤ照明に変換する技術に関するものである。より詳しくは、現用の直管型蛍光灯の点灯用設備を使用して、ＬＥＤ照明を実現するための、直管型蛍光灯と互換可能なＬＥＤ蛍光照明装置に関するものである。
【技術背景】
【０００２】  図１３を参照して、直管型蛍光灯と互換可能なＬＥＤ蛍光照明装置として、内壁（基盤支持板）１０１を介して管体１００の内部を上下二分して、上方をＬＥＤ発光照明室Ａとし下方を電源室Ｂとし、内壁（基盤支持板）１０１の上面に複数個のＬＥＤ発光装置１０２を直線状に装備し、内壁（基盤支持板）１０１の下面に電源装置１０３を装備したものが公知である。
【先行技術文献】
【特許文献】
【０００３】
【特許文献１】特開平８−１６２６７７号
【特許文献２】実開平６−５４１０３号
【発明の概要】
【発明が解決しょうとする課題】
【０００４】  前記の公知技術においては、図１４を参照して。ＬＥＤ発光照明室Ａを管体１００のほぼ半分とするものであるから、照明光線ｑの発射範囲が管体１００の下半部に限定され、天井面イに設置された直管型ＬＥＤ照明蛍光灯においては、天井面に向かう照明光線がないことで天井面イの反射光線による照明が存在しない。よって、室内の一部範囲Ｔは強力に照明されるが、照明が弱い範囲Ｓが存在して、室内の一部に照明が不十分となる問題点がある。
【０００５】  本願発明は、公知技術の上記の問題点を解消すべく、管体よりの照明光線の照射範囲を増大するとともに、照明器具取付け面（天井、側壁等）よりの反射光線を室内照明に付加して、室内を全体的に照明することを課題とする。
【課題を解決するための手段】
【０００６】  本願第１発明は、ＬＥＤ発光照明室において、水平面と一対の傾斜面とを有する内壁で、管体内面で反射した照明光線を再反射させて、乱反射させることを特徴とするＬＥＤ蛍光照明装置の蛍光光線照射方法を提供する。
【０００７】  本願第２発明は、直管型蛍光灯に代えてＬＥＤ照明が可能であり、内壁で管体内部をＬＥＤ発光照明室と電源室とに二分したＬＥＤ蛍光照明装置であって、透光性合成樹脂、ガラス系製品等であって、管体横断面視底面側を切除した管体である透光性合成樹脂等の第１管体部と、金属製製品であって前記合成樹脂等の第１管体部の切除部分に対応する横断面視円弧形状の金属製の第２管体部とで、管体を構成し、管体内に、水平面と一対の傾斜面とを有する内壁を、その両端を金属製の第２管体部の端縁に連設して、内壁と金属製の第２管体部とを熱伝導的に連続させ、前記内壁の水平面の上面にＬＥＤ発光装置および蛍光体を装備し、水平面の下面に電源回路を装備し、傾斜面に導光拡散体を装備して、内壁のほぼ全面より蛍光光線を第１管体部に向け発射し第１管体部よりの反射光線によりＬＥＤ発光照明室で乱反射させて照射範囲を取付面側へ拡大したことを特徴とするＬＥＤ蛍光照明装置を提供する。
【０００８】  発明の作用
本願発明は、ＬＥＤ発光照明室において、発射光線を管体内面と内壁との間で、乱反射させることとともに、取付器具側（天井面、壁面等）への光線照射範囲を拡大して、取付器具側（天井面、壁面等）よりの反射光線を増加する。
【発明の効果】
【０００９】  ＬＥＤ発光照明室における発射光線の乱反射により、第１管体部の全周面よりの照射光線を均一にすることができる。
取付器具側（天井面、壁面等）よりの反射光線が増加することで、取付器具側（天井面、壁面等）と対向面（床面、作業面等）に対する室内照明効果を高めることができる。
【図面の簡単な説明】
【００１０】
【図１】本願発明の実施例を示すＬＥＤ蛍光照明装置の縦断面図。
【図２】同じく横断面図。
【図３】同じく内部構造の大要を示し、ａ図は、ＬＥＤ発光装置、蛍光体とともに示す内壁の斜視図、ｂ図は、蛍光体およびＬＥＤ発光装置の斜視図。
【図４】ＬＥＤ蛍光照明装置の平面面
【図５】同じく正面図。
【図６】同じく側面図。
【図７】第２管体部の底面図。
【図８】第２管体部と内壁の縦断面図。
【図９】内壁とともに示す導光拡散体の部分断面側面図。
【図１０】本発明の作用図で、照明光線Ｑ１、Ｑ２、Ｑ３、Ｑ３’を示す。
【図１１】第２管体部の断面視１４０度の実施例における作用説明図。
【図１２】第２管体部の断面視９０度の実施例における作用説明図。
【図１３】公知のＬＥＤ蛍光照明装置の縦断面図
【図１４】同じく横断面図。
【発明を実施するための形態】
【００１１】  図１ないし図９を参照して、本願発明の実施例を示すＬＥＤ蛍光照明装置を説明する。
直管型蛍光照明装置における管体の底面側を切除した一部切除管体の形状である第１管体部２と、該第１管体部２の切除部分に対応する金属成型品の断面円弧状の第２管体部３とで、管体１を構成する。
【００１２】  中央の水平面（基盤支持板）４と一対の傾斜面５、５よりなる金属製成型品（実施例においては、アルミ型抜材）の内壁６を設け、該内壁６を、管体１の内部に位置して、その端縁を第２管体部３の端部に固定して一体化する。
【００１３】  内壁６により、管体１の内部は、上側のＬＥＤ発光照明室Ａと下側の電源室Ｂに二分する。
【００１４】  内壁６の中央水平面４の上面に、ＬＥＤ発光装置７およびその上方に蛍光体８が多数個適宜の間隔で管体長手方向に一列配置されている。ＬＥＤ発光装置７は基盤７ｂに装着された３個のＬＥＤ発光素子７ａで構成している。
【００１５】  傾斜面５，５の上面には導光拡散体１０が接着装備されている。
【００１６】  内壁６の水平面４の下面には、ＡＣ／ＤＣコンバータ、過電流阻止回路等の電源回路９が装備されている。
【００１７】  図９を参照して、前記導光拡散体１０は、内壁６の傾斜面５に接着され、下層の反射遮熱層１１、中間層の光誘導層１２および上面の光拡散層１３の三多層構造である。
【００１８】  反射遮熱層１１は、アルミ箔を傾斜面５の上面に接着して構成した。
【００１９】  光誘導層１２は、管体中心側の内端面はＬＥＤ発光装置７と対向し、外端面は管体１の第１管体部２の第２管体部３側に対向している。
【００２０】  前記光誘導層１２は、端面へ内端面での受光を誘導するとともに、表面に無数の凹凸溝を加工することで繊維状（ファイバー状）加工溝によりその表面方向への透光を生じさせることで、内端面での受光の一部をで、光誘導層１２の全表面に誘導している。
【００２１】  光拡散層１３は、透光性拡散材質で構成するが、外端面を滑面でなく粗面構造とすることで、乱反射により入射光線を第１管体部２の内面に向け拡散させるものである。
【００２２】  管体の両端にはリング２０を介して支持端子部２１が装備され、既設の蛍光灯取付器具３０のソケット３１に取付可能となっている。支持端子部２１には、端子２３，および電源室Ｂに連通する通孔２２が形成されている。
【００２３】  なお、片方の支持端子部２１についてのみ、端子２３を電源接続部材および支持部材として機能させ、他方の支持端子部２１については、端子２３を支持部材としてのみ機能させた。既存の蛍光灯取付器具の機能はそのまま存続させたことで、需用者に対しては、従来の蛍光灯の利用を可能となるので、ＬＥＤ照明への変換を促進する効果を有する。
【００２４】  第２管体部３には、第１管体部２との接続部の近傍の外面にフイン２５が形成されるとともに、中央部に開口２３が形成されている。
【００２５】  第２管体部３と内壁６とを熱伝導的に一体化させ、金属製管体部への熱伝導で、ＬＥＤ基盤に対する冷却効果を高めるとともに、前記通孔２２および開口２３の存在による外気との連通で、対流効果により電源室Ｂを冷却している。
【００２６】  図１０を参照して、第１管体部２は、透光性の合成樹脂製品等で管体１の２４０度の範囲、第２管体部３は管体１の１２０度の範囲を、それぞれカバーしており、第１管体部２は透光性の合成樹脂製品であることで、管体１の２４０度の範囲で照射光線［光源のＬＥＤ発光装置７および蛍光体８より第１管体部２を直接透光する照射光線Ｑ１および第１管体部２内での乱反射したのち第１管体部を透光する照射光線Ｑ２］が照射されている。
【００２７】  さらに、光誘導層１２の存在により、第１管体部２の端縁放射方向より取付器具側（天井面、壁面等）寄りの照射光線Ｑ３が存在することで、上述の管体１の２４０度の範囲を超える照射光線が存在する。
【００２８】  実施例においては、上述のごとく、第２管体部３は管体１の１２０度の範囲として、管体の１／３としたが、第２管体部３の範囲は１２０度の範囲に限定されるものでなく、１２０度の範囲に対し増減してもよいものである。
【００２９】  即ち、第２管体部３の範囲を管体１の１４０度の範囲としても、光誘導層１２の存在により、第１管体部２の端縁放射方向より取付器具側（天井面、壁面等）寄りの照射光線が存在することで、取付器具側（天井面、壁面等）より反射した照明光線Ｑ３‘が存在して本願発明の作用効果は達成できるものである（図１１参照）。
【００３０】  また、第２管体部３の範囲を管体１の９０度の範囲としても、電源室Ｂは、ＬＥＤ発光装置７および電源回路９を冷却するに十分な空間容量を確保できるものである（図１２参照）。
【００３１】  つぎに、本発明の作用を詳述する。
【００３２】  内壁６の中央水平面４の上面に装備したＬＥＤ発光装置７よりＬＥＤ光線が発生する。
【００３３】  該ＬＥＤ光線は、その上方に装備した蛍光体８を通過することで、二次光線としての蛍光光線が発生する。
【００３４】  該蛍光光線は第１管体２に向け照射され。
【００３５】  照射光線の約８０％は第１管体２を透過して第１管体２外へ照射される（照射光線Ｑ１）。
【００３６】  照射光線の約２０％は第１管体２の内周面で反射し、内壁６の表面の光拡散層１３で乱反射する。
【００３７】  さらに、蛍光光線は光誘導層１２を経て光拡散層１３の全表面よりも第１管体２に向け照射される。
【００３８】  よって、第１管体２の内周面で反射した照射光線と、光誘導層１２よりの照射光線が、第１管体２に向け照射される。
【００３９】  また、光誘導層１２の外端面より第１管体２に向かう照射光線が存在する。
【００４０】  ＬＥＤ発光照明室における発射光線の乱反射による前述の照射光線Ｑ２の存在により、第１管体部の全周面よりの照射光線を均一にすることで、ＬＥＤ発光の“まぶしさ”を解消する。
【００４１】  きた、取付器具側（天井面、壁面等）への光線照射範囲を拡大して、取付器具側（天井面、壁面等）よりの反射光線を増加する。
【００４２】  かくして、作業空間をほぼ均一に照明するところの“やわらかい光源”を提供する。
【００４３】  本願発明は、水耕栽培用光源のごとく、広い空間に均一照明を提供する手段として特に有効である。
【産業上の利用可能性】
【００４４】  本願発明は、蛍光灯照明のＬＥＤ照明への変換を容易とすることで、屋内照明装置のエコ対策として有効であるとともに、ＬＥＤ蛍光照明装置の利用を促進することでＬＥＤ蛍光照明に関係する産業の発展に寄与するものである。
【符号の説明】
【００４５】  １  管体
２  第１管体部
３  第２管体部
４  水平面
５  傾斜面
６  内壁
７  ＬＥＤ発光装置
８  蛍光体
１０  導光拡散体
【図１】
2010272496.tif 000003
【図２】
2010272496.tif 000004
【図３】
2010272496.tif 000005
【図４】
2010272496.tif 000006
【図５】
2010272496.tif 000007
【図６】
2010272496.tif 000008
【図７】
2010272496.tif 000009
【図８】
2010272496.tif 000010
【図９】
2010272496.tif 000011
【図１０】
2010272496.tif 000012
【図１１】
2010272496.tif 000013
【図１２】
2010272496.tif 000014
【図１３】
2010272496.tif 000015
【図１４】
2010272496.tif 000016